(57)【要約】【課題】良好な視認性を有する、有機ＥＬを発光源として備えた表示装置を提供することを課題とする。【解決手段】複数の有機ＥＬ発光体が保持部材に保持されてなる発光部を有し、該発光部から発せられる光により外部に情報を表示する表示装置であって、隣り合う有機ＥＬ発光体間の距離を５ｍｍ以上とすることで、課題を解決する。【選択図】図２
2014053108.tif 000002
【特許請求の範囲】
【請求項１】
複数の有機ＥＬ発光体が保持部材に保持されてなる発光部を有し、該発光部から発せられる光により外部に情報を表示する表示装置であって、
前記複数の有機ＥＬ発光体は、隣り合う有機ＥＬ発光体間の距離が５ｍｍ以上であることを特徴とする表示装置。
【請求項２】
前記発光部の面積が２５００ｃｍ２以上である、請求項１に記載の表示装置。
【請求項３】
前記複数の有機ＥＬ発光体は、それぞれが同じサイズであり、かつ、１ｃｍ×１ｃｍ以上の大きさである、請求項１又は２に記載の表示装置。
【請求項４】
前記表示装置は、発光部が保護シートで覆われている、請求項１〜３のいずれか１項に記載の表示装置。
【請求項５】
前記発光部と保護シートの間に充填剤を備える、請求項４に記載の表示装置。
【請求項６】
車両誘導用表示板である、請求項１〜５のいずれか１項に記載の表示装置。
【発明の詳細な説明】
【技術分野】
【０００１】
本発明は、有機ＥＬを発光源として備えた表示装置に関する。
【背景技術】
【０００２】
近年のＬＥＤ（発光ダイオード）や有機ＥＬ（有機発光ダイオード＝ＯＬＥＤ）等のエレクトロルミネッセンス照明は消費電力が小さく、多数の照明を必要とする道路交通設備への利用が期待されている。特にＬＥＤは、高効率・高寿命等の特性に優れるため信号機や路肩やトンネル内の警告等など道路標識として普及が加速してきている。
また、ＬＥＤランプが表示部に配列されたＬＥＤ表示装置についても検討されている。例えば特許文献１では、西日や朝日で照らされても、簡単な構成で視認性を向上できるＬＥＤ表示装置が提案されている（特許文献１参照）。
【０００３】
一方、ディスプレイにおいては、複雑な構成の漢字表記を正確なものとするため、画素の縦横比を異ならせる技術が開示され、該ディスプレイの種類として、有機ＥＬディスプレイが例示されている（特許文献２参照）。
【先行技術文献】
【特許文献】
【０００４】
【特許文献１】特開２０１０−０２６８６３号公報
【特許文献２】特開２００８−０３３０９６号公報
【発明の概要】
【発明が解決しようとする課題】
【０００５】
ＬＥＤを用いた表示装置について視認性向上の課題は上記のとおり認識されており、特許文献１では、複数のＬＥＤランプが、表示部の前方より日光が照らされたときに、チップ搭載面への入射光を低減可能な構造とすることで、課題を解決する試みが提案されている。しかしながら、本発明者が検討したところ、特許文献１に示すような構成を採用したとしても、ＬＥＤ表示装置は表示面の法線方向に嵩高く、前方からの日光の反射に加え、隣接するＬＥＤが発する光同士による干渉が生じる。そのため、視認性の向上が悪く、特に表示部に対して斜め方向（視野角の狭い方向）から視認した場合の視認性が不十分であった。
【０００６】
一方で、本発明者は、有機ＥＬを発光源として用いた表示装置について検討をした。有機ＥＬはＬＥＤのように、表示面の法線方向に嵩高くはなく、光の干渉は生じ得ないと思われた。しかしながら本発明者が検討したところ、有機ＥＬを画素として並べた有機ＥＬ表示装置であっても、相変わらず十分な視認性が得られなかった。
本発明はこのような課題を解決するものであり、有機ＥＬを発光体として用いた表示装置において、視認性が改善された表示装置を提供するものである。
【課題を解決するための手段】
【０００７】
本発明者は、視認性が得られない原因を検討したところ、生じ得ないと思われた隣接する発光体からの光の干渉が、有機ＥＬを発光体として用いた表示装置でも起こることに想到した。そして、上記課題を解決するために、それぞれの有機ＥＬ発光体との間隔に着目し、隣り合う有機ＥＬ発光体間の距離を５ｍｍ以上とすることで、視認性が向上することを見出した。
本発明の概要は以下のとおりである。
【０００８】
複数の有機ＥＬ発光体が保持部材に保持されてなる発光部を有し、該発光部から発せられる光により外部に情報を表示する表示装置であって、
前記複数の有機ＥＬ発光体は、隣り合う有機ＥＬ発光体間の距離が５ｍｍ以上であることを特徴とする表示装置。
【０００９】
上記表示装置は、発光部の面積が２５００ｃｍ２以上であることが好ましい。
【００１０】
上記表示装置は、発光部が保護シートで覆われていることが好ましく、また、発光部と保護シートの間に充填剤を備えることが好ましい。また、移動する車両のための誘導用表示板であることが好ましい。
【発明の効果】
【００１１】
本発明によれば、良好な視認性を有する、有機ＥＬを発光源として備えた表示装置を提供することが可能である。このような表示装置は屋外での使用に適しており、特に電光掲示板や車両誘導用に好適に用いられる。
またＬＥＤ表示装置（ＬＥＤ情報表示板）では、視野角が狭くオフセットの大きい角度からでは視認性が悪く、さらに視認距離１０ｍ以内、特に５ｍ以内では画素が点状になり、視認性が大きく低下する欠点があるが、本有機ＥＬ表示装置では、表示装置に立てた垂線より６０°とほぼ真横に近い角度でも視認性が高く、また５ｍ以内に近寄っても点画像とならず、あるいは１０ｍ以上離れても画像の輪郭の認識性が高く画像の視認性は高いことが確認された。
さらにＬＥＤで視認性を上げるために画素の輝度を上げると光束が点光源部に集中するため眼が眩む問題もあったが、本有機ＥＬ表示装置では輝度を上げて視認性を上げても光束密度が局所的に高くならないので、眼が眩まないことが確認された。
すなわち、ＬＥＤ表示装置に対して、幅広く視認性を高めながらかつ眩しくなく、また従来の有機ＥＬ表示装置に対して高い効果を有することが確認された。
【図面の簡単な説明】
【００１２】
【図１】有機ＥＬ発光体の一般的な構造（層構成）を表す概念図である。
【図２】本発明の有機ＥＬを発光源として備えた表示装置の一態様を表す概念図である。
【図３】複数の有機ＥＬ発光体からなる発光部の拡大図である。
【図４】本発明の有機ＥＬを発光源として備えた表示装置の一態様における内部構造を表す断面図である。
【図５】本発明の有機ＥＬを発光源として備えた表示装置の一態様における内部構造を表す断面図である。
【発明を実施するための形態】
【００１３】
以下、本発明について、具体的な態様を示しながら詳細に説明するが、本発明は例示する具体的態様に限定されないことはいうまでもない。
本発明の実施態様に係る表示装置は、複数の有機ＥＬ発光体が保持部材に保持されてなる発光部を有し、該発光部から発せられる光により外部に情報を表示する表示装置である。
【００１４】
＜１．発光部＞
発光部は、複数の有機ＥＬ発光体が保持部材に保持されてなる。有機ＥＬ発光体は複数用いられ、その数は限定されないが、外部に情報を発する表示装置としての機能を果たすため、発光体が発する光により情報を表示することができる程度の有機ＥＬ発光体が必要である。
また、有機ＥＬ発光体の数が表示装置としての画素数となり、画素数が多いほど様々な
情報を発信することができるが、その数は要求される仕様に応じて適宜設定すればよい。通常１００個以上、好ましくは１６００個以上であり、通常１０００００個以下、好ましくは１００００個以下である。
【００１５】
本発明の実施態様に係る表示装置は、隣り合う有機ＥＬ発光体間の距離が５ｍｍ以上である。このように、有機ＥＬ発光体間の距離を５ｍｍ以上とすることで、隣接する発光体からの光の干渉を抑えることが可能となり、表示装置としての視認性が向上する。
通常、表示装置においては、隣り合う発光体間の距離を離すことにより、文字や数字などの発信したい情報を正確に表示することが難しくなる恐れがあった。しかしながら、隣り合う有機ＥＬ発光体間の距離が５ｍｍ以上であっても、十分に情報が表示可能であることを本発明者は確認している。特に電光掲示板などの大型の表示装置においては、有機ＥＬ発光体の距離が５ｍｍ以上であっても、詳細な文字情報を表示することが可能である。好ましくは６ｍｍ以上、より好ましくは８ｍｍ以上である。
有機ＥＬ発光体間の距離の上限は特段限定されず、要求される表示装置の大きさと、要求される表示内容によるが、一般的には２０ｍｍ以下であり、１５ｍｍ以下であることが好ましい。
【００１６】
発光部の大きさは、要求される表示装置の大きさと要求される表示内容により決定するが、大型の表示装置であることが好ましく、具体的には発光部の面積が２５００ｃｍ２以上であることが好ましく、３０００ｃｍ２以上であることがより好ましい。また、表示装置が矩形の場合、その一辺は５０ｃｍ以上であることが好ましく、１００ｃｍ以上であることがより好ましい。
【００１７】
一方、個々の有機ＥＬ発光体の発光面積は、情報を外部に表示することが可能であれば良いが、それぞれが同じサイズであることが情報を表示し易く好ましい。また、０．５ｃｍ×０．５ｃｍ以上、好ましくは１ｃｍ×１ｃｍ以上の発光面積であることが好ましい。また、５ｃｍ×５ｃｍ以下、好ましくは３ｃｍ×３ｃｍ以下の発光面積であることが好ましい。画素サイズが上記よりも小さくなると、組み立てが難しくなり、また外部ＩＣによる画素制御が難しくなることからコスト増に繋がり好ましくない。また、画素サイズが上記よりも大きくなると道路用あるいは屋外情報表示板で５〜５０ｍ程度の距離で視認するものであっても画像の認識性が低下し好ましくない。また各画素は単独でＲＧＢ３色を出せるものがより好ましい。
それぞれの有機ＥＬ発光体の大きさが同じサイズである場合、１つの有機ＥＬ発光体の発光面積を、発光部全体の発光面積で除した値が１／１００００以上とすることが好ましい。
また、有機ＥＬ発光体の高さについては、隣り合う有機ＥＬ発光体が発する光との更なる光の干渉を抑制する観点から、２０ｍｍ以下であることが好ましく、１５ｍｍ以下であることがより好ましい。１０ｍｍ以下であることが最も好ましい。ただし、有機ＥＬ発光体面が発光体間の基準面よりも低くならないことが好ましい。基準面よりも低くなった場合は側方に近い角度からの視認性が悪化する。また有機ＥＬ発光体間は隣の発光体からの光が侵入しないように光学的に遮断されていることが好ましく、外部の景色の映り込みを防ぎ、各画素の境界を視認し易くするためブラックマトリクスになっていることがより好ましい。有機ＥＬ発光体間の外部光反射率は３０％以下、好ましくは２０％以下、より好ましくは１０％以下であり、ここの部分は濃色好ましくは黒色とするか反射防止層を置いて外部光の反射を抑制することが好ましい。
さらに、道路や鉄道、空港など移動体を運用する場所で使用する表示装置は、移動体が主に横方向に移動することから、発光部は縦横同長乃至縦横比１：２を超えない範囲で横長であることが好ましく、縦横比１：１．１〜１：１．３の範囲にあることがより好ましい。さらに、表示装置は平面であっても問題はないが、移動体の移動方向に合わせて表示装置自身が緩い曲面を描いていることが視認性、視認時間から好ましい。
【００１８】
＜２．有機ＥＬ発光体＞  
本実施態様に係る表示装置が備える有機ＥＬ発光体は、有機発光材料を利用し、有機発光材料層に電流を流すことにより励起子（エキシトン）を生成後、それが安定化する際に光を放出（蛍光・燐光どちらでも良いが省エネの観点からは燐光発光素子が好ましい）する有機電流発光素子を含む発光デバイスを意味する。
また、本実施態様において有機ＥＬ発光体は、特に封止フィルム等により封止された状態のものを意味する。
【００１９】
＜２−１．有機電流発光素子＞
本実施態様に用いられる有機電流発光素子の構成は、特に限定されないが、一般的な構成について図１を参照して説明する。
図１は有機電流発光素子の構造例を示す断面の模式図であり、図１において、４１は基板、４２は陽極、４３は正孔注入層、４４は正孔輸送層、４５は発光層、４６は正孔阻止層、４７は電子輸送層、４８は電子注入層、４９は陰極を表す。注入層や輸送層等を含まないものであっても、またその他の機能を有する層が含まれていてもよく、さらに各構成層は、単層であっても複数層であってもよい。
【００２０】
また、上記構成層の製膜方法も特に限定されず、例えば、真空蒸着法、スパッタリング法等の乾式成膜法、又はスピンコート法、ディップコート法、ダイコート法、バーコート法、ブレードコート法、ロールコート法、スプレーコート法、キャピラリーコート法、インクジェット法、スクリーン印刷法、グラビア印刷法、フレキソ印刷法等の湿式成膜法が挙げられる。
【００２１】
有機電流発光素子の基板材料は、特に限定はされないが、石英ガラス、無アルカリガラスやソーダ石灰ガラス等のガラス板、アルミやスチール等の金属板・金属箔、ポリエチレンテレフタレート、ポリオレフィン、ポリメタクリレート、ポリエチレンナフタレート、ポリイミド、ポリカーボネート、ポリエーテルスルフォンなどのプラスチックフィルムやシート等が挙げられる。特に鳥や飛び石、車両等の衝突に対しての安全性（破片が飛び散らない）、軽量で割れにくく配線・取付が容易である観点から、アルミやスチール等の金属シート、金属箔、プラスチックフィルムやシート、ガラスの場合は薄肉フレキシブル化したものを基板とすることが好ましい。
【００２２】
有機電流発光素子の陽極材料は、特に限定されないが、アルミニウム、金、銀、ニッケル、パラジウム、白金等の金属及びその合金、インジウム及び／又はスズの亜鉛酸化物等の金属酸化物、ヨウ化銅等のハロゲン化金属、カーボンブラック、或いは、ポリ（３−メチルチオフェン）、ポリピロール、ポリアニリン等の導電性高分子等が挙げられる。また、上記基板が導電材料である場合には、基板と陽極は同一であってもよい。
【００２３】
有機電流発光素子の陰極材料は、特に限定されないが、スズ、マグネシウム、インジウム、カルシウム、アルミニウム、銀等の金属又はそれらの合金が挙げられる。また、有機ＥＬの消灯時に生じる外部からの光の反射をより抑制するために、陰極を粗表面にすることもできる。
【００２４】
有機電流発光素子の発光層には、発光材料のほか、正孔輸送の性質を有する化合物（正孔輸送性化合物）、或いは電子輸送の性質を有する化合物（電子輸送性化合物）が含まれることが好ましい。例えば、発光材料をドーパント材料とし、正孔輸送性化合物や電子輸送性化合物等、又はその混合物をホスト材料するものが挙げられる。
【００２５】
発光層の発光材料は特に限定されず、蛍光発光材料でも、燐光発光材料であってもよい
。内部量子効率の観点から、燐光発光材料が好ましい。また、蛍光発光材料と燐光発光材料を組合せて使用してもよいが、素子としての発光効率は蛍光発光材料の効率から大きく影響を受けるため、単色を混合して白色等を作る場合には、全てが燐光発光材料であることが好ましい。発光層における発光材料の割合は、特に限定されないが、通常０．０５重量％以上、通常３５重量％以下である。
【００２６】
発光材料の分子量は、特に限定されないが、通常１００００以下、好ましくは５０００以下、より好ましくは４０００以下、更に好ましくは３０００以下、また、通常１００以上、好ましくは２００以上、より好ましくは３００以上、更に好ましくは４００以上の範囲である。
【００２７】
発光層の膜厚は、特に限定されないが、通常３ｎｍ以上、好ましくは５ｎｍ以上、最も好ましくは１０ｎｍ以上、また、通常２００ｎｍ以下、好ましくは１００ｎｍ以下、最も好ましくは７０ｎｍ以下の範囲である。
【００２８】
上述の構成層のほか、正孔注入層、正孔阻止層、電子注入層、保護層等の材料、形態、調整方法についても、特に限定されない。またこれ以外の構成を有してもよく、その材料、形態、調製方法も、有機電流発光素子として用いられているものを適宜利用することができる。
【００２９】
＜２−２．封止材＞
本発明において有機ＥＬ発光体とは、上述の有機電流発光素子を封止した状態のものを意味する。
有機電流発光素子を封止する方法は、発光領域を覆うように封止することができれば特に限定されず、通常、熱可塑性樹脂を用いて、ウェットラミネート法、ドライラミネート法、ホットメルトラミネート法、押出しラミネート法、熱ラミネート法等によって封止する方法が挙げられる。発光材料は、熱処理により劣化する場合があるので、１１０℃以下の温度で封止できる方法が好ましい。
【００３０】
封止材の種類は、特に限定されず、例えば緩衝機能を発揮し、また破損しても破片が飛び散らないポリマー材料などが好ましく、また紫外線、酸素、水分等の有機電流発光素子の劣化源の侵入を抑制する添加剤等がポリマー材料に含有されていることが更に好ましい。封止材は実績やコスト、あるいは熱ラミ等の加工のし易さよりＥＶＡ樹脂が好ましい。ＥＶＡ樹脂シートにあっては表示画面に気泡等を入れず加工性が容易な観点よりＶＡコンテントが２０％を超えるものがより好ましい。
【００３１】
また、紫外線や熱による劣化を抑制するために、封止材に紫外線吸収剤、酸化防止剤、光安定剤等を添加することが好ましい。これらの添加剤の量は特に限定されないが、１００ｐｐｍ以上２０００ｐｐｍ以下がより好ましい。３００ｐｐｍ以上１０００ｐｐｍ以下が最も好ましい。上記範囲であれば、紫外線や熱による劣化を抑制できるとともに、各接着界面の接着耐久性及び樹脂の特性を維持することができる。
【００３２】
封止材の膜厚は、通常２００μｍ以上、１ｍｍ以下、好ましくは３００μｍ以上、８００μｍ以下、更に好ましくは４００μｍ以上、６００μｍ以下である。上記範囲であれば、紫外線、酸素、水分等の劣化源の侵入を抑制し、素子を保護する緩衝機能を得ることができる。
【００３３】
封止材は、３８０ｎｍ以下の光線透過率が１５％以下であることが好ましく、８％以下がより好ましい。上記範囲であれば、紫外線による発光材料等の劣化を抑制することができる。
【００３４】
＜３．保持部材＞
本実施態様において保持部材は、有機ＥＬ発光体を保持することで情報を外部に表示することが可能であれば良い。保持部材は特段限定されず、プラスチック板や金属板などがあげられる。
また、保持部材がケーシング中に格納される態様であっても良く、保持部材自体を表示装置の枠体としても良い。
保持部材がケーシング中に格納される場合、外部からの熱、雨、風、飛来物などから有機ＥＬ発光体を保護することができる。
また、地上から高い位置に表示装置を設置する場合には、保持部材及びケーシングは軽い素材であることが好ましい。
また、ケーシングは防滴仕様であることが好ましいが、侵入した水分を揮散させるためにケーシングの下部にフィルター付きの水抜き孔を開ける態様も好ましい。
【００３５】
＜４．保護シート＞
本実施態様の表示装置は、発光部が保護シートで覆われていることが好ましい。発光部を保護シートで覆うことで、表示装置に耐候性、耐スクラッチ性、ガスバリア性などを付与することができる。そして、外部からの熱、雨、風、飛来物などから有機ＥＬ発光体を保護することができる。
保護シートの厚みは、通常５０μｍ以上、好ましくは１００μｍ以上、より好ましくは３００μｍ以上である。また、通常１０ｍｍ以下、好ましくは５ｍｍ以下、より好ましくは３ｍｍ以下である。
表示装置は、屋外で使用される場合には、日中、太陽光により熱せられるものであるため、保護シートは、耐熱性を有することが好ましい。保護シートの構成材料は、融点が、通常１００℃以上であり、１２０℃以上であることが好ましい。一方融点の上限は通常３２０℃程度である。
【００３６】
保護シートの構成材料は、これら特性を考慮して選ぶことができ、例えば、ＥＴＦＥなどの樹脂成形体、アクリル板、プラスチック、ガラス板などがあげられる。保護シートは、２種以上の材料からなるものであっても良い。また、単層であっても、２層以上からなる積層体であっても良い。耐衝撃性と耐熱性及び低吸湿性の観点からアクリル樹脂よりもポリカーボネート樹脂であることがより好ましい。
【００３７】
保護シートは、外部側の面に拡散機能を備えることが好ましい。拡散機能を外側の面に備えることで、外部からの光の反射を分散させ、反射光に起因する視認性の低下を抑制することができる。拡散機能としては、例えば保護シート表面を荒らすことなどにより付与することができる。
保護シートはＵＶ遮断機能がついているものが好ましく、４００ｎｍ以下のＵＶ光を８０％以上、好ましくは９０％以上、さらに９９％以上遮断できるものがより好ましい。
また飛び石や衝撃等から画素を保護するため、全面に保護シートがついていることが好ましい。保護シートは透明で平行光線透過率が８０％以上、好ましくは９０％以上であれば好適に使用できるが、ガラス板よりもポリマーシートが好ましく、ポリマーシートの中では耐衝撃強度の高いポリカーボネート樹脂シートが好ましく、ポリカーボネートにあっても耐衝撃強度と成形加工性の兼ね合いより重量平均分子量２〜４万のものがより好ましい。
また有機ＥＬ素子は通常ガラス基板で挟み込み、端部をエポキシ等の樹脂で封止してガスバリア封止とするが、屋外用の表示装置としては、さらに有機ＥＬ画素の集合体を透明ポリマーシートで挟み込み端部も封止して防水封止とし、さらにそれらを保護シートを有する防滴仕様のケーシング内に固定して３重の防水処置を取ることも好ましい態様である。挟み込むポリマーシートとしては透明ポリマーであれば好適に使えるが、吸湿性が少な
く耐熱性が高く、耐衝撃性が高い観点よりポリカーボネートシートであることがより好ましい。吸湿性が高いと湿度変化に対して反りなどの変形が発生し、耐熱性が低いと真夏の炎天下使用でやはり変形が生じ、耐衝撃性が低いと飛び石や衝突等の衝撃で容易に破損する。吸湿性は飽和吸水率で２％以下が好ましく、１％以下がより好ましい、耐熱性はＴｇで１１０℃以上が好ましく１２０℃以上がより好ましい。
【００３８】
＜５．充填剤＞
本実施態様の表示装置は、上記保護シートに加えて、発光部と保護シートとの間に充填剤を備えることが好ましい。
上記保護シートを表示装置に備えることで、表示装置に耐候性、耐スクラッチ性、ガスバリア性などを付与することができ、外部からの熱、雨、風、飛来物などから有機ＥＬ発光体を保護することができる。
一方、保護シートを備えることで、有機ＥＬ発光体から発せられる光の一部が、保護シートとの界面において反射し、他の有機ＥＬ発光体が発する光との間で干渉することを本発明者は見出した。この現象は、有機ＥＬ発光体と保護シートとの間に空気の層が存在することで、空気と保護シートの屈折率の差により、特定の角度で進入した有機ＥＬ発光体が発する光が空気と保護シートとの界面で反射されることにより生じるものである。
本発明者らは、このような新たな課題に対して、発光部と保護シートとの間に充填剤を備えることで解決できることも見出した。
【００３９】
充填剤としては、保護シートとの界面で生じる反射が小さいものが好ましく、このような充填剤は、保護シートとの屈折率の差が小さいものである。そのため充填剤は、保護シートの種類に応じて、適宜選択することとなる。具体的には、保護シートの屈折率と充填剤の屈折率との差が０．２以下であることが好ましく、０．１以下であることがより好ましく、０．０５以下であることが更に好ましい。
充填剤としては、例えばシリカ、アルミナ、ジルコニア、チタニア、酸化亜鉛などがあげられ、シリカ、アルミナを用いることが好ましい。
【００４０】
＜６．表示装置＞
本実施態様に係る表示装置は、発光部から発せられる光により、外部に情報を表示する。外部に表示する情報は特段限定されず、文字、数字、イラスト、記号などがあげられる。また、屋外・屋内の区別なく使用することが可能であるが、屋外で使用することが好ましい。また、屋外で使用する場合には、大型の表示装置として用いることが好ましい。具体的な適用例としては、スタジアムや競技場、さらに空港や鉄道ターミナルなどに設置する電光掲示板、テロップ表示板、道路情報・渋滞情報等を表示する道路用電光掲示板、情報表示板及び道路標識等があげられる。
【００４１】
以下、本発明について、図を用いて更に詳細に説明するが、本発明がこれらに限定されないことはいうまでもない。
【００４２】
図２に、本発明の一実施態様に係る表示装置１０の概念図を示す。表示装置１０は、例えば道路工事のために車線規制が行われた際、片側交互通行のために車両停止を知らせる表示装置である。
表示装置１０は枠体１に車輪２を有することから可働式である。保持部材である枠体１は発光部３を保持し、発光部３は、複数の有機ＥＬ発光体を備える。そして、複数の有機ＥＬ発光体のうち、その一部のみを発光させることで「止まれ」の文字を表示する。
【００４３】
図３は、発光部３の拡大図と、さらにその一部の拡大図を示す。発光部３は複数の有機ＥＬ発光体４が等間隔に並べられており、このうちの一部の有機ＥＬ発光体４のみを発光させることで、情報を表示する。また、有機ＥＬ発光体４のサイズを矢印５で示し、隣り
合う有機ＥＬ発光体４間の距離を矢印６で示す。
矢印５で示される有機ＥＬ発光体４のサイズは例えば１ｃｍ×１ｃｍ程度であり、表示すべき情報の種類により適宜設定される。
また、矢印６で示される隣り合う有機ＥＬ発光体４間の距離は５ｍｍ以上であり、このように有機ＥＬ発光体間の距離を設定することで、隣り合う有機ＥＬ発光体同士の光の干渉を抑制することができる。
【００４４】
図４は、本発明の一実施態様に係る表示装置２０の断面図の一部を示す。表示装置２０は、外部からの熱、雨、風、飛来物などから有機ＥＬ発光体４を保護するため、保護シート７を備える。
保護シート７を備えることで、有機ＥＬ発光体が発する光９ａ、９ｂのうち、保護シート７への入射角が鋭角である光９ｂは、保護シート７の界面で反射し、他の有機ＥＬ発光体が発する光との間で干渉が生じる。このような干渉を防ぐため、図５に示す本発明の一実施態様に係る表示装置３０では、発光部を構成する有機ＥＬ発光体４と保護シート７との間に充填剤８を充填する。これにより図５（ａ）に示すように、有機ＥＬ発光体４から保護シート７への入射角が鋭角であっても、保護シート７との界面で反射することなく、表示装置２０から光を出射させることができる。
このような態様を有する表示装置３０は、保護シート７を備えた際に新たに生じる課題を解決することができる。
【００４５】
また、保護シート７を備えることで、外部からの光９ｃが保護フィルムとの界面により反射し、表示装置から発せられる光と外部光９ｃが混合し、干渉することで視認性の低下を引き起こす。このことは特に日中に顕著である。このような混合・干渉を防ぐため、図５（ｂ）に示す本発明の一実施態様に係る表示装置３０では、保護シート７の上部を荒らす。これにより図５（ｂ）に示すように、保護シート７の上部において、外部からの光９ｃが視認性に影響を及ぼさない方向に反射され、視認性の低下を抑制することができる。
【００４６】
以下、実施例により本発明をさらに詳細に説明するが、本発明は以下の実施例にのみ限定されない。
＜表示装置製造例＞
基材上に、一辺が２０ｍｍの正方形形状、高さ８ｍｍの有機ＥＬを等間隔で配置することで表示装置を製造する。
配置する有機ＥＬの間隔は、３ｍｍ（比較例１）、５ｍｍ（実施例１）、１０ｍｍ（実施例２）として、「止まれ」の文字を表示装置に表示する。
次に「止まれ」の文字を表示した表示装置を、任意に選択した５名のボランティアに、夜間に２０ｍ離れて視認してもらい、次の基準で評価をする。
Ａ：きれいに文字が表示されている。
Ｂ：少しくすんで見えるが、文字が認識可能である。
Ｃ：何が表示されているか、理解できない。
【表１】
2014053108.tif 000003
【符号の説明】
【００４７】
１０、２０、３０  表示装置
１    枠体
２    車輪
３    表示部
４    有機ＥＬ発光体
４１  基板
４２  陽極
４３  正孔注入層
４４  正孔輸送層
４５  発光層
４６  正孔阻止層
４７  電子輸送層
４８  電子注入層
４９  陰極
７    保護シート
８    充填剤
９ａ、９ｂ  有機ＥＬ発光体が放出する光
９ｃ  外部光
【図１】
2014053108.tif 000004
【図２】
2014053108.tif 000005
【図３】
2014053108.tif 000006
【図４】
2014053108.tif 000007
【図５】
2014053108.tif 000008